(57)【特許請求の範囲】
【請求項１】
無線ベースステーション（１７）と、第１無線通信機器（１１、１６）と、複数の第２無線通信機器（２−１０）とを有するシステム（１）であって、
無線ベースステーション（１７）は、
−第１無線モジュールであって、それに割り当てられた第１無線通信機器（１１、１６）との無線通信のための第１無線モジュール（２１、２３）と、
−第２無線モジュールであって、それに割り当てられた複数の第２無線通信機器（２−１０）との無線通信のための第２無線モジュール（２２）と、
を含み、
この２つの無線モジュール（２１、２２、２３）は、互いとの結合（２４）を有し、
第２の無線モジュール（２２）は、上記結合（２４）を用いて第１の無線モジュール（２１）の無線活動に影響を及ぼすように構成されており、
第１の無線モジュール（２１、２３）は、その無線活動について影響を受けうるように構成され、
これにより、無線通信における互いの妨害が回避され、
第２無線通信機器（２−１０）は、電子価格表示板（２−１０）であり、
影響を及ぼすように構成されている第２の無線モジュール（２２）は、電子価格表示板（２−１０）と通信するように構成され、
電子価格表示板（２−１０）との通信では、繰り返しの連続で１つのタイムスロットサイクルにつき決まった数の複数のタイムスロット（Ｚ１−ＺＮ）が通信のために設けられているタイムスロット通信方法が使用され、各タイムスロット（Ｚ１−ＺＮ）に一義的なタイムスロット記号（ＺＳ１−ＺＳＮ）が付けられ、
電子価格表示板（２−１０）のそれぞれが、タイムスロット（Ｚ１−ＺＮ）の一つに割り当てられ、
それぞれの電子価格表示板（２−１０）のために指定されたタイムスロットの外部では、それぞれの電子価格表示板（２−１０）は、エネルギーを節約するスリープ状態で運転され、電子価格表示板（２−１０）は、当該スリープ状態では、適時におけるウェークアップのためのタイミングに必要な活動のみを行い、次に同期化データ信号を受信するための、当該電子価格表示板（２−１０）に対して指定されたタイムスロットで、スリープ状態から起きて受信準備ができたアクティブ状態に切り替わり、受信される同期化データ信号が有するタイムスロット記号を用いて、電子価格表示板（２−１０）が当該電子価格表示板の第２の無線モジュール（２２）との同期化した状態について確認するようにする、
システム（１）。
【請求項２】
一方の無線モジュール（２２）は、無線活動制御信号（ＦＳ）を生成し、他方の無線モジュール（２１、２３）に送信するように構成されており、他方の無線モジュール（２１、２３）は、上記無線活動制御信号（ＦＳ）を受信してその情報内容に関して評価し、その情報内容に応じて無線活動に影響を及ぼすように構成されている、請求項１に記載のシステム（１）。
【請求項３】
上記結合（２４）は、２つの無線モジュール（２１、２２、２３）の間の回線または回線システムにより実現されている、請求項１または２に記載のシステム（１）。
【請求項４】
その無線活動に関して影響を受けうる他方の無線モジュール（２１、２３）は、一方の無線モジュール（２２）から受ける影響に応じて、
−無線活動を中断し、および／または、
−無線活動を再開し、および／または、
−予め決められた期間、または、一方の無線モジュール（２２）により定義された期間に無線活動を中断し、および／または、
−送電電力を、予め決められた値に自動的に設定するか、または、一方の無線モジュール（２２）により定義された値に合わせ、および／または、
−無線チャンネル割り当てを、予め定義された図式、または、一方の無線モジュール（２２）により定義された図式に応じて合わせる、
ように構成された、請求項１から３までのいずれか１項に記載のシステム（１）。
【請求項５】
その無線活動に関して影響を受けうる他方の無線モジュール（２１、２３）は、ＷＬＡＮに適した無線通信機器（１１、１６）とＷＬＡＮ規格に基づいて通信するか、または、無線通信機器としての電子価格表示板と通信するように構成されている、請求項１から４までのいずれか１項に記載のシステム（１）。
【請求項６】
影響を及ぼすように構成されている一方の無線モジュールは、影響を及ぼす時点を先見的に決定するように構成されている、請求項１から５までのいずれか１項に記載のシステム（１）。
【請求項７】
影響を及ぼす時点は、無線通信機器（２−１０）と、影響を及ぼすように構成されている一方の無線モジュール（２２）との間の通信の予想される時点に基づいて決められる、請求項６に記載のシステム（１）。
【請求項８】
上記無線ベースステーション（１７）は、ケーブル接続されたコンピュータネットワーク（１９）を用いてサーバ（１８）に結合できサーバ（１８）と無線モジュール（２１−２３）との間でデータを交換するように構成されているホストコンピュータ（２０）を有し、ホストコンピュータ（２０）は、
−データを、
＋サーバ（１８）とホストコンピュータ（２０）との間ではネットワークプロトコル、特にＴＣＰ／ＩＰプロトコルを用いて、
＋無線モジュール（２１−２３）とホストコンピュータ（２０）との間ではインターフェースプロトコル、特にシリアルインターフェースプロトコルを用いて、
伝送し、
−無線モジュール（２１−２３）とサーバ（１８）との間の生データトラフィックをトンネリングする、
ように構成されている、請求項１から７までのいずれか１項に記載のシステム（１）。
【請求項９】
無線ベースステーション（１７）に結合されており、無線通信機器（２１−２３）との通信に関するデータを提供するかまたは処理するためのサーバ（１８）を含む、請求項１から８までのいずれか１項に記載のシステム（１）。
【請求項１０】
−サーバ（１）は、無線ベースステーションの仮想部局（３４；３５、３６）を提供するように構成されており、
−無線ベースステーション（１７）は、無線ベースステーションの仮想部局（３４；３５、３６）と無線モジュール（２１−２３）との間の生データトラフィック（ＲＤ）をトンネリングするように構成されている、
請求項９に記載のシステム（１）。
【請求項１１】
請求項１から１０までのいずれか１項に記載のシステム（１）が有する無線ベースステーション（１７）。
【請求項１２】
請求項１から１０までのいずれか１項に記載のシステム（１）が有する電子価格表示板（２−１０）。
【発明の詳細な説明】
【技術分野】
【０００１】
本発明は、無線ベースステーションに関する。本発明はさらにこの無線ベースステーションを含むシステムに関する。
【背景技術】
【０００２】
公知の通信システムは、例えば、無線通信機器のそれぞれ１つのグループとの無線に基づいた通信のための２つの無線アクセスポイント（無線ベースステーション）を有する。この２つのアクセスポイントは無線通信のために２．４ＧＨｚ帯を使うので、このアクセスポイントの１つとそれに割り当てられた無線通信機器との通信に、他方のアクセスポイントとそれに割り当てられた無線通信機器との通信により引き起こされた妨害が発生しうる。
【０００３】
それゆえ、前記公知のシステムは妨害されやすい。また、無線通信機の異なるグループにはそれぞれ１つのアクセスポイントが必要であるので、公知のシステムは高い投資費用を発生させる。
【発明の概要】
【発明が解決しようとする課題】
【０００４】
本発明は、はじめに議論した問題が回避されるシステムを供給するという課題に対処する。
【課題を解決するための手段】
【０００５】
この課題は、請求項１に係る無線ベースステーションによって解決される。したがって、本発明の目的は、無線ベースステーションであり、第１無線モジュールであって、それに割り当てられた第１無線通信機器との無線通信のための第１無線モジュールと、第１無線モジュールであって、それに割り当てられた第２無線通信機器との無線通信のための（少なくとも１つの）第２無線モジュールと、を含む無線ベースステーションであって、この２つの無線モジュールは、互いとの結合を有し、一方の無線モジュールは、上記結合を用いて他方の無線モジュールの無線活動に影響を及ぼすように構成されており、他方の無線モジュールは、その無線活動について影響を受けうるように構成されている、無線ベースステーションである。
【０００６】
上記課題は、さらに、請求項１１に係るシステムにより解決される。したがって、本発明の目的は、本発明の無線ベースステーションと、この無線ベースステーションに結合されており、無線通信機器との通信に関するデータを提供するかまたは処理するためのサーバと、を含むシステムである。
【０００７】
本発明に係る処置では、一方では、無線モジュールを本発明の無線ベースステーション内でまとめるか、または、グループ化することで、ただ１つの共有する電気的または電子的な構成要素グループ（電力供給、コンピュータモジュール、電気的および機械的な接続部など）のみが必要となるという利点が同時に現れる。これに対して、従来技術では、各無線ベースステーションに独立した構成要素グループが必要となるだろう。これと同じことは、比喩的な意味で、サーバを有する通信ネットワークの構造に必要なシステム構成要素、例えば、ＬＡＮケーブル、ルータ、スイッチなどに対しても有効である。したがって、従来技術の場合に比べて相当安いインフラストラクチャが実現できる。
【０００８】
一方では、このことで存在する無線モジュールの共存を基にして、無線活動に影響を及ぼすことを目的とした無線モジュールの間の結合と無線モジュールの間の通信能力とにより生じる、さらなる有利な点が得られる。他方の無線モジュールの無線活動に影響を及ぼすことにより、無線通信における互いの妨害が確実に回避できる。
【０００９】
本発明の一般的な局面によれば、各無線モジュールは他の無線モジュールよりも優先されるようになり、これによりその無線ネットワークにおいて妨害されず通信できる。ここでは、偶然が決めることがあり、最初に他方に影響を及ぼす無線モジュールは、この状態が要らなくなるまで他方よりも優先される。しかしながら、本発明の格別な局面によれば―この局面は以下詳細に取り上げられるが―、無線モジュールの１つのみが影響を及ぼすように構成され、他方の無線モジュールのみが影響を受けうるように構成されていることが有利でありうる。したがって、影響を及ぼすように構成されている無線モジュールのみが他方の無線モジュールよりも優先されることができる。このことは、上記２つの無線モジュールで実現された全無線ネットワークにおいて、影響を及ぼすように構成されている無線モジュールを使って実現されている無線ネットワークをいつも他方の無線ネットワークよりも優先しなければならない場合に有利である。他方の無線ネットワークに対する一方の無線ネットワークの優位性は、使用シナリオまたは適用の方法、および／または、使われる無線モジュールおよび無線通信機器の種類によって必要になりうる。
【００１０】
本発明の無線ベースステーションでは、２つ、または、３つ、４つ、またはもっと多い無線モジュールが統合されるかまたはまとめられていてもよい。無線モジュールはすべてただ１つの無線規格、または、異なっている無線規格あるいは無線通信プロトコルに基づいて運転できる。独自の無線プロトコルも実行されることができる。同様に、規格化された無線プロトコルと独自の無線プロトコルとを有する混成システムも実現することができる。
【００１１】
無線通信機器は、有効データ通信に対する準備のために一先ずそれぞれの無線モジュールに申請され、それからそれぞれの無線モジュールに割り当てられてもよい。よって、各無線モジュールはそれに割り当てられた無線通信機器と単独の無線ネットワークを形成する。それぞれの無線モジュールの無線通信は、例えば、自由に利用できる２．４ＧＨｚ帯または他の自由に利用できる無線帯を通じて実行できる。
【００１２】
影響を及ぼす時点は自由に選択されるか、または、それぞれ使用される無線プロトコルのパラメータによって定義されていてよい。影響を受ける無線モジュール側における影響に対する実際の反応の時点、すなわち影響を受ける無線活動の開始は、時間的動作の上記体系に応じることができる。さらに、影響を受けた（合わせられた）無線活動の時間は、自由に選択されるか、または、影響を及ぼす無線モジュールによって定義されるか、または、使用される無線プロトコルの１つまたは複数のパラメータから導き出されることができる。特に好ましくは、時点および時間は、影響を及ぼす無線モジュールによって使用される無線プロトコルのパラメータによって決められており、なぜなら、これによって、影響を及ぼす無線モジュールの通信の特有の形が最も適切に考慮されるからである。
【００１３】
さらに、本発明の特に有利な形態およびさらなる構成は、従属請求項ならびに以下の記載によって明らかになる。
【００１４】
本発明のさらなる一局面によれば、影響を及ぼす無線モジュールは、無線活動制御信号を生成し、影響を受けうる無線モジュールに送信するように構成されており、影響を受けうる無線モジュールは、無線活動制御信号を受信し、その情報内容に関して評価し、その情報内容に応じて無線活動に影響を及ぼすように構成されている。それぞれの、無線活動制御信号の生成および送信のための（影響を及ぼすように構成されている無線モジュールにある）ジェネレータステージ、または、受信された無線活動制御信号の受信および検出あるいは処理のための（影響を受けうる無線モジュールにある）検出ステージは、信号および／またはデータの処理のためにそれぞれの無線モジュールにおいて使用されるハードウェアおよび／またはソフトウェア―例えば、プロセッサおよびメモリ、および、さらなるアナログまたはデジタル構成要素、または、特定用途向け集積回路（“ａｐｐｌｉｃａｔｉｏｎ−ｓｐｅｃｉｆｉｃ  ｉｎｔｅｇｒａｔｅｄ  ｃｉｒｃｕｉｔ”の略であるＡＳＩＣ）―によって実現されていることができる。この構成要素に加えて、それぞれの無線モジュールは、無線活動制御信号の伝送に必要な、単独にまたはＡＳＩＣの構成要素として実現できるインターフェースを有する。無線活動制御信号の格別な形および可能な使用について以下に詳細に取り上げられる。
【００１５】
無線モジュールの間の結合は、直流電流結合を避けなればならない場合には、例えば、容量によって実現できる。基本的に、上記結合は無線信号を用いて実現できる。しかしながら、電気回線または回線システムによって実現された、無線モジュールの間の結合がとりわけ有利であることが判明した。これにより、実際に遅れがなく、また、特に無線信号に起因する妨害、例えば、無線モジュール自体または他の無線システムの無線信号に起因する妨害を免れた、無線モジュールの間の信号伝送が可能となる。また、無線モジュールの間における無線活動制御信号の信号伝送によって引き起こされる、無線モジュールとそれぞれの無線通信機器との間の無線トラフィックに対する他の影響が確実に回避される。
【００１６】
本発明の実施の最も簡単な形で、情報内容として２つのレベル値を有するただ１つの信号を、他方のモジュールに影響を及ぼすことを目的に使用する場合、ただ１つの回線が有利であることがある。ここで、一方のレベル値（例えば＋２．５ボルト）は影響を及ぼす状態を表し、他方のレベル値（例えばＧＮＤまたは０ボルト）は影響を及ぼさない状態を表すことができる。
【００１７】
しかしながら、２つより多いレベル状態が他方の無線モジュールへの情報伝送に使用される場合、または、例えば、シリアル通信が無線モジュールの間に実装されている場合にも、ただ１つの回線が有利となる可能性がある。このことは、影響を及ぼす状態または影響を及ぼさない状態を成し遂げなければならない場合だけでなく、他の命令（制御コマンド）およびパラメータまたは値を情報内容として伝送しなければならない場合にも有利である。それゆえ、例えば、独立したまたは複数の無線モジュールへの制御命令（例えば、“他方の無線モジュールｘは１０秒活動停止せよ”という意味で）の送信、または、全無線モジュールへのブロードキャスト（例えば、“他の無線モジュールはすべて今活動停止している”という意味で）のために、このようなデータ回線を使用することができる。無線モジュールの間の回線システムまたはバスシステムにも、同じことが同様に適用される。
【００１８】
他方の無線モジュールの無線活動に対する一方の無線モードの影響に関しては、それぞれの情報内容を無線活動制御信号で提供する必要がある様々なオプションを実装することができ、ここに、個々のオプションの組み合わせを使用することもできる。
【００１９】
それゆえ、例えば、影響を受けうる無線モジュールは、例えば、その無線活動を中断（ミュート）するように構成されていてもよい。活動的状態に戻ることは自動的に行われるようにすることができる。しかしながら、当該無線モジュールは、さらなる影響または影響の変化によってその通常の無線活動を再開するように構成されていることも可能である。
【００２０】
また、影響を受けうる無線モジュールには、予め定義された期間中に、または、影響を及ぼす無線モジュールによって定義された期間に応じて、その無線活動を中断することが実装されていることもできる。後者の場合では、影響を及ぼす無線モジュールは、適切な期間を定義してその期間を伝送するように構成されていなければならない。
【００２１】
しかしながら、影響を受けうる無線モジュールは、影響に基づいてその送信能力を自動的に、予め決められた値に設定する（減らす）ように、または、影響を及ぼす無線モジュールによって定義された値に合わせるように、構成されていることもできる。後者の場合には、影響を及ぼす無線モジュールは、望まれている送信能力の定義と、送信能力のそれに対応する値の転送とをするように構成されていなければならない。
【００２２】
さらに、影響を受けうる無線モジュールは、予め決められた図式に応じて、または、影響を及ぼす無線モジュールによって定義された図式に応じて、その無線チャンネル割り当てを合わせるように構成されていることもできる。後者の場合には、影響を及ぼす無線モジュールは、望まれているチャンネル割り当ての定義と、それに対応するチャンネル割り当て図式の伝送とをするように構成されていなければならない。
【００２３】
本発明は、特に好ましくは、無線活動に関して影響を受けうる他方の無線モジュールが、ＷＬＡＮに適した無線通信機器とＷＬＡＮ規格に基づいて通信するか、または、無線通信機器としての電子価格表示板と通信する、ように構成されている無線ネットワークに使用される。このような無線モジュールは、影響を及ぼすように構成されている無線モジュールの一刻を争う活動に対する影響が深刻になりうるような予想できない無線トラフィックはほとんど引き起こさない。上述したタイプの他に、無線通信機器の他のタイプも使用することができる。
【００２４】
影響を及ぼすように構成されている一方の無線モジュールは、第２無線通信機器としての電子価格表示板と通信するように構成されていれば、とりわけ有利な効果が得られる。
【００２５】
上述した電子価格表示板は、エネルギー供給のために、エネルギー保存素子、例えばバッテリーまたは、充電式バッテリーと結合されたソーラーパネルを有することができる。このような電子価格表示板の表示ユニットは、例えば、ＬＣＤ技術、好ましくは電子インク技術（電子紙の同義語としたＥ−Ｉｎｋとも称される）を用いて実現することが可能である。
【００２６】
最大のエネルギー効率で稼働するために、電子価格表示板は、いくつかの運転状態を有する。一つの電子価格表示板は、アクティブ状態のときに比較的高いエネルギー消費を有する。アクティブ状態は、データの送受信時、表示のアップデート、バッテリー電圧測定時などに存在する。それに対して、スリープ状態では、エネルギー消費が比較的低い。好ましくは、電流供給を切断するまたは暗くするまたは少なくとも、できるだけわずかなエネルギー必要量のモードで、できるだけ多くの電子部品が運転される。アクティブ状態は、主として、無線タグのために指定された、通信ステーションとの通信のためのタイムスロットを有する。アクティブ状態では、コマンドや場合によっては無線モジュールからの受信データを受信するために、および、その論理ステージを用いて処理するために、電子価格表示板は、受信準備を有する。アクティブ状態では、また、論理ステージを用いて、送信データを生成し、無線モジュールと通信することができる。高エネルギー効率で動作するために、および、それによって電子価格表示板のできるだけ長い寿命を達成するために、電子価格表示板をできるだけ長くスリープ状態に保ち、できるだけ短いアクティブ状態の期間での無線モジュールとのデータ伝送のために絶対に必要な場合にだけ運転する、という基本的な運転戦略がある。
【００２７】
したがって、このような電子価格表示板では、無線モジュールとの通信の場合に比較的高いエネルギー消費がある。これにより、他の無線モジュールに引き起こされており、係る電子価格表示板とそれに属する無線モジュールとの通信期間の望まれていない延期を必ず引き起こす、上記通信の妨害は、電子価格表示板の寿命期間に対して非常に不利な結果をもたらす。そこで、本発明は初めて、電子価格表示板との通信に用いられる無線モジュールの優先度と、したがって電子価格表示板との無線トラフィックの妨害の確実な回避とを可能にする。両方の無線モジュール（影響を及ぼすものおよび影響を受けるもの）は、電子価格表示板との通信のために形成された無線モジュールとして実現されていても、本発明の措置によって、無線トラフィックにおける互いの妨害を避けることができる。このことは、他方の無線モジュールに対する一方の無線モジュールの不変に予め定義された優先度によって行われることができる。しかしながら、このことは、その時点の状況、または、その時点の通信の必要によって生じる一方または他方の無線モジュールの優先度から生じるようにすることもできる。この実装によれば、最初に影響を及ぼす無線モジュールは、優先度が要らなくなるまで、影響を受ける無線モジュールに対する優先度を得ることができる。その後で、以前に影響を受けた無線モジュールは、以前影響を及ぼした無縁モジュールよりも優先度を自らの発議によって得ることができ、無線トラフィックを妨げられずに実行できる。したがって、両方の無線モジュールは、優先度を得る可能性に関して同じ等級である。いずれの場合にも、影響を及ぼすそれぞれの無線モジュールは、通信を非常に効率的に実行でき、このことは、それぞれの電子価格表示板のエネルギー資源の持続的保護に貢献する。
【００２８】
本発明の好ましい一局面によれば、電子価格表示板との通信では、繰り返しの連続で１つのタイムスロットサイクルにつき複数のタイムスロットが通信のために設けられているタイムスロット通信方法が使用され、特に各タイムスロットに一義的なタイムスロット記号が付けられている。このタイムスロット通信方法の枠内には、単独の電子価格表示板がアドレスされ、および／または、（コマンドまたはコマンド）データが供給され、電子価格表示板のデータが受信されることができる。
【００２９】
タイムスロット通信方法時には、例えばｎ秒以内、例えば１５秒以内に、ｍ個のタイムスロット、例えば２５５個のタイムスロットが使用される。このｎ秒が一つのタイムスロットサイクルを形成する。それゆえ、このタイムスロット通信方法では、一つのタイムスロットサイクル以内のｍ個のタイムスロットが、電子価格表示板との通信に対して使用される。電子価格表示板のそれぞれは、タイムスロットの一つに割り当てられることができるが、いくつかの電子価格表示板を、一つの指定されたタイムスロットに割り当てることもできる。システムにおいては、例えば１５秒のタイムスロットサイクルの間に２５６個のタイムスロットが、５８．６ミリ秒ずつ存在し、タイムスロットあたり２ないし５個の電子価格表示板を個々に問題なくアドレスすることができ、一つのコマンドで個々の課題をそれらの電子価格表示板に委任することができる。各電子価格表示板は、実行したコマンドの完了（処理）を確認データを用いて応答することができ、この確認データは、好ましくは、コマンドを受信したそのタイムスロットにおいて送信される。それぞれの電子価格表示板のために指定されたタイムスロットの外部では、電子価格表示板は主として、エネルギーを節約するスリープ状態で運転される。スリープ状態では、その電子価格表示板の論理ステージまたは時間操作ステージは、適時におけるウェークアップのためのタイミングのために必要な活動のみを行い、それによって、その電子価格表示板は、同期化データ信号の受信のための、次に当該電子価格表示板に対して指定されたタイムスロットでは、その電子価格表示板の同期化した状態を確認し、および／または、無線モジュールとの通信の準備ができている。同期化した電子価格表示板はできるだけ長くスリープ状態で運転される。
【００３０】
これに関連して、同期化データ信号は、タイムスロット記号、または電子価格表示板をアドレスするためのアドレスデータ、または電子価格表示板にコマンドを送信するためのコマンドデータ、または電子価格表示板におけるある処理のための有効データ（例えば、製品の値段または他の製品もしくは値段に係る情報を表示するための有効データ）を有し、影響を及ぼす無線モジュールは、この同期化データ信号を電子価格表示板に通信したいか、または通信しないといけない場合には、他方の無線モジュールの無線活動がいつも影響を受けることがとりわけ有利である。さらに、影響を及ぼす無線モジュールが電子価格表示板からの確認データを予期するか、または影響を及ぼす無線モジュールが電子価格表示板からの返信データを予期する場合には、他方の無線モジュールの無線活動がいつも影響を受けることがとりわけ有利である。
【００３１】
影響を及ぼす無線活動の時間は、（例えば影響を及ぼす無線モジュールによって）予め定義されたか、または任意に定義されることができてもよい。本発明の効率的かつ確実な実装を保証するためには、影響を受ける無線活動の時間が、タイムスロット通信方法により定義された時間ラスターまたはタイムスロットラスターまたは時間体系またはタイムスロット体系に対応していることが、とりわけ有利である。具体的には、このことは、影響を及ぼす無線モジュールに影響を受けた後に、影響を受けた無線モジュールがその無線活動を、影響を及ぼす無線モジュールと係る電子価格表示板との実際の通信の間に合わせることを意味する。特に、合わせられた無線活動の期間は、影響を受ける無線モジュールと係る価格表示板との間の通信が行われる、通信期間に対するリードタイムの期間を有して始まる。合わせられた無線活動は、通信期間が終わる時点に終わらせることができる。しかしながら、合わせられた無線活動は複数の、特にぎりぎり隣り合っている通信期間にわたることもできる。合わせられた無線活動の存在はただ１つのタイムスロットに限定されなくてもよい。合わせられた無線活動は隣り合っているタイムスロットを含むことができ、よって、第１タイムスロットから第２タイムスロットまで、またはそれを超えて延びることができる。
【００３２】
基本的に、無線通信の必要がある場合には、ちょうどその時に、影響を及ぼす無線モジュールは影響を及ぼすことができる。その際、影響を受ける無線モジュールは、影響を受けた後にその無線活動を相応しく合わせなければならない。しかしながら、影響を及ぼすように構成されている一方の無線モジュールは、影響を及ぼす時点を先見的に決定するように構成されていることがとりわけ有利であることを判明した。これによって、妨害がない無線通信を確実に行う影響を、いつも遅れずに及ぼすことができる。このことは、影響を及ぼす無線モジュールによる影響を実行に移すために、影響を及ぼす無線モジュールも一定の反応時間を要するので、とりわけ有利である。
【００３３】
しかしながら、本発明のさらなる一般的な一局面によれば、例えばデッドロック（無線モジュールの番になることがない）を不可能になることができるように予め定義されたルールに従って影響を及ぼすこともできる。
【００３４】
さらなる一局面によれば、影響を及ぼす時点は、無線通信機器と、影響を及ぼすように構成されている一方の無線モジュールとの間の通信の予想される時点に基づいて決められることが有利である。特に好ましくは、影響を及ぼす時点は、影響を受ける無線モジュールの反応速度を考慮して計算される。よって、影響を及ぼす無線モジュールの実際に実行される無線活動の前のある時点で影響を及ぼすことができる。
【００３５】
影響を及ぼす無線モジュールの無線プロトコルの特徴またはタイミングは影響を及ぼす無線モジュールには既知であるので、先見的な決定は、影響を及ぼすように構成された無線モジュールにおいて比較的簡単に直接実現できる。ここでは、通信の時点を待ってからただ通信するだけではなく、次の通信時点がいつ生じるかが予め調べられ、相応しいリードタイムを隔てて影響を及ぼすので、通信時点に効果が確実に生じる。
【００３６】
説明された本発明の局面の背景から、一実施形態によれば、ベースステーションには、例えば、価格表示板と通信するための無線モジュールは２つだけ統合されている。ここで、好ましくは、両方の価格表示板通信ネットワークについて価格表示板のエネルギー費用に関して最適化した運転が保証されているように、影響を設計することができる。さらに、価格表示板の省エネルギー運転と無線ネットワークにおける効率的な通信の局面から、例えば、価格表示板との通信のための２つの部分無線モジュール、および、ＷＬＡＮ無線通信機器との通信のための２つの部分無線モジュールは、ベースステーションに統合されていることもできる。この構成では、例えば、１つの価格表示板無線モジュールおよび１つのＷＬＡＮ無線モジュールがそれぞれ２．４ＧＨｚ帯を利用し、他方の無線モジュールがそれぞれ５ＧＨｚ帯を利用することができる。
【００３７】
説明された無線ベースステーションは、それぞれの無線モジュールの機能を可能にすることに必要な知能および処理能力のすべてを提供できる。複数の無線モジュールはベースステーションに統合されているので、このことは、相応する処理能力を有するハードウェアと、高性能のオペレーティングシステムと、それぞれのベースステーションに統合された様々な無線モジュールの制御、および、例えば、回線によって繋がっているネットワークを介してアクセスできるサーバとのデータトラフィックの制御のための適したソフトウェアと、によって行われる。よって、本発明のベースステーションは、様々な無線ネットワークでの通信のための組み合わせたアクセスポイントを形成する。したがって、組み合わせたアクセスポイントは、係る（組み合わせたアクセスポイントに割り当てられた）無線通信機器との通信に必要な、様々な個々のアクセスポイントの性質または機能を提供する。しかしながら、本発明の他の一実施例によれば、上述した知能および処理能力の相当な部分はベースステーションから外部に移すことができ、このことは以下に説明される。
【００３８】
本発明のさらなる一局面によれば、無線ベースステーションは、ケーブル接続されたコンピュータネットワークを用いてサーバに結合でき、サーバと無線モジュールとの間でデータを交換するように構成されているホストコンピュータを有し、上記ホストコンピュータは、サーバとホストコンピュータとの間ではネットワークプロトコル、特にＴＣＰ／ＩＰプロトコルを用いて、無線モジュールとホストコンピュータとの間ではインターフェースプロトコル、特にシリアルインターフェースプロトコルを用いて、データを伝送し、無線モジュールとサーバとの間の生データトラフィックをトンネリングするように構成されている。これにより、相当する有能なホストコンピュータを用いて、問題なく、無線ベースステーションに統合された複数の無線モジュールにデータを提供できる。好ましくは、各無線モジュールには、該当する無線通信機器との無線トラフィックを処理するために、該当する無線プロトコルが使用される。
【００３９】
特に好ましくは、サーバは、無線ベースステーションの仮想部局を提供するように構成されており、無線ベースステーションは、無線ベースステーションの仮想部局と無線モジュールとの間の生データトラフィックをトンネリングするように構成されている。この特に好ましい解決策によれば、従来の無線ベースステーションに例えばそのオペレーティングシステムによって割り当てられるべき知能および処理能力のすべてを、外部の高性能のサーバに移すことができる。統合された無線モジュールを有する本発明の無線ベースステーションは、そのホストコンピュータを用いて有線ネットワーク、例えば構内コンピュータネットワーク（“ｌｏｋａｌ  ａｒｅａ  ｎｅｔｗｏｒｋ”の略であるＬＡＮ）を介してサーバと通信し、この場合、ホストコンピュータは比較的少ない処理能力しか要らない。本発明のベースステーションでは、サーバにもらった生データを、ホストコンピュータを用いて、例えばＴＣＰ／ＩＰ通信から、無線モジュールとの通信に使用可能なインターフェースへ転換することのみが行われる。このインターフェースは、例えばパラレルなまたはシリアルな入力／出力インターフェースであってもよく、特に好ましくは、“ｕｎｉｖｅｒｓａｌ  ａｓｙｎｃｈｒｏｎｏｕｓ  ｒｅｃｅｉｖｅｒ／ｔｒａｎｓｍｉｔｔｅｒ”（ＵＡＲＴ）に順応するインターフェースである。これにより、一方では、ホストコンピュータの機能および処理能力に対して大きな要求がされることがないので、本発明のベースステーションのハードウェアは比較的低コストで実現できるという有利な点が得られる。他方では、いずれにせよサーバに十分存在しているリソースは同時に最適に使われる。したがって、このシステムはそのリソースの分配と利用に関して最適化されている。このシステムでは、サーバと本発明の無線ベースステーションとの間に一定のデータ量（“ネットワークトラフィック”）が実現できることが有利であり、ネットワークの安定性に相当に貢献する。そのとき、使われないデータパケットは空データで占められて伝送される。本発明のシステムは、従来のサーバおよび２つ以上の独立した従来の無線ベースステーションからなる従来のシステムのように外部に対して透過的に作用する。
【００４０】
合わせられた無線活動の期間中には、影響を受ける無線モジュールとそれに割り当てられた無線通信機器との間の通信が中断される可能性がある。生データ損失を被らないために、本発明の一般的な一局面によれば、まだ転送されていない生データは一時的に保存され、影響を受ける無線活動の終了後に、係る無線通信機器との無線活動が続けられ、ここで、一先ず一時的に保存されたデータが伝送され、新たに加わる生データが同様に一時的に保存され、次第に伝送される。一時的保存は、実装次第で、無線モジュール、ベースステーションのホストコンピュータ、またはサーバで直接行うことができる。
【００４１】
本発明のこの局面およびさらなる局面は以下に説明される図面により明らかになる。
【００４２】
本発明は以下に、添付する図を指摘し実施例に基づいて再び詳細に説明されるが、その実施形態に限定されない。ここに、各図面において同一の部材は同一の符号を付す。図面には以下のものが模式的に示される。
【図面の簡単な説明】
【００４３】
【図１】本発明のシステムを示す。
【図２】第１状態図を示す。
【図３】第２状態図を示す。
【図４】第３状態図を示す。
【発明を実施するための形態】
【００４４】
図１には、スーパーマーケットの建物に設置されており、様々な無線通信機器との無線通信のための本発明のシステム１が示されている。システム１は、無線ネットワークを実現し、以下に省略してＥＳＬ２−１０と称される複数の電子価格表示板２−１０と、スーパーマーケットの電子的製品管理システムの構成要素である、（１つのみが示されている）持ち運びできる電子バーコードリーダ１１との通信を可能にする。各ＥＳＬ２−１０は表示ユニット１００を有し、棚板の上に位置付けられた（示されていない）製品に対応して棚１５の棚板１２−１４の上に取り付けられており、この製品について、ＥＳＬ２−１０を用いて価格情報および製品情報が表示される。さらに、スーパーマーケットの顧客は、以下に省略してユーザー端末１６と称される、（同様に１つのみが示されている）自身の、移動可能な無線通信機器、例えば、携帯電話またはモバイルパソコンを用いて、スーパーマーケットの無線ネットワークのゲストアカウントでオンラインサービスを利用できる。この無線ネットワークは、様々なプロトコルおよび様々な優先度を持った無線通信機器２−１０、１１、１６の様々なグループとの通信を可能にする。
【００４５】
上記無線ネットワークの実現のために、システム１は、以下に省略してステーション１７と称される無線ベースステーション１７およびサーバ１８を有し、これらは構内の有線ネットワーク（ＬＡＮ）１９を介して互いと接続されている。このＬＡＮ１９を介してサーバ１８はＴＣＰ／ＩＰプロトコルを用いてステーション１７と通信し、ここで、生データＲＤは、通信データＫＤに埋め込まれてそれぞれの機器２−１０、１１、１６と交換可能になっている。
【００４６】
ステーション１７は、ホストコンピュータ２０と、ＷＬＡＮ規格に基づいてバーコードリーダ１１と通信するための第１無線モジュール２１と、以下に詳細に説明される独自のプロトコルに従ってＥＳＬ２−１０と通信するための第２無線モジュール２２と、ＷＬＡＮ規格に基づいてモバイルユーザー端末１６と通信するための第３無線モジュール２３とを有する。第２無線モジュール２２は、制御回線２４を介して第１および第３無線モジュール２１、２３に接続されている。制御回線２４は、第２無線モジュール２２と他方の２つの無線モジュール２１、２３との結合の一部であり、無線モジュール２１−２３の選ばれた配置のためだけに２つの部分からなっている。しかしながら、他の実施形態によれば２つの分離された制御回線も使用されうることも述べておかなければならない。制御回線２４は、以下に省略して制御信号ＦＳと称される無線活動制御信号を、第２無線モジュール２２から他方の２つの無線モジュール２１、２３へ送ることに利用され、この制御信号ＦＳを用いて他方の２つの無線モジュール２１、２３の無線活動に影響が及ぼされる。この場合に、制御信号ＦＳは、第１レベル値（ＯＶまたはＧＮＤ）では影響が及ぼされていないことを示し、第２レベル値（＋２．５ＶまたはＨＩＧＨ）では影響が及ばされていることを示す信号である。この実装では、第２レベル値が発生するとき、および、第２レベルが存在する間に、他方の２つの無線モジュール２１、２３の無線活動が中断され、すなわち、無線信号は送信されない（ミューティング）。第１レベル値が存在するときにのみ、他方の２つの無線モジュールは、無線信号を送信できる通常の無線活動を有する。ここで、影響を及ぼすための無線モジュールの間に、シリアル若しくはパラレルなデータ伝送システムまたはデータバスも存在できることも述べておかなければならない。
【００４７】
ステーション１７は、さらに、各無線モジュール２１−２３のために、無線トラフィックに利用できるそれぞれのアンテナ２５−２７を有する。各無線モジュール２１−２３は、物理的な無線通信に必要な、この無線通信のハードウェアおよび／またはソフトウェアによって実現された（詳細に示されていない）機能ユニットを有し、各自のアンテナ２５−２７に接続されている。
【００４８】
各無線モジュール２１−２３は、ホストコンピュータ２０との有線通信のためのシリアルインターフェース２８−３０を有する。ホストコンピュータ２０は、一方では、シリアル通信プロトコルに従って無線モジュール２１−２３と通信し、他方では、ＴＣＰ／ＩＰプロトコルに従ってサーバ１８と通信するように構成されており、サーバ１８とそれぞれの無線モジュール２１−２３との間の生データトラフィックは、一方のプロトコルから他方のプロトコルへトンネリングされる。このために、ホストコンピュータは、詳細に説明されない機能ステージの他に、ホストコンピュータのハードウェアにおいて実行されるソフトウェアを用いて実現された変換ステージ３１を有する。
【００４９】
サーバ１８は、データ保存ステージ３２、例えば、製品管理システムおよび／または無線ネットワークのそれぞれの参加者との通信に関する全ての情報の保存のためのデータベースを有する。運転中に、サーバ１８は、すべてのサーバプロセスまたはサーバ機能を提供するためのサーバプロセスステージ３３を実現する。さらに、サーバ１８は、全てのステーション機能を提供するための、ステーション１７の仮想部局３４を実現する。この場合には、サーバ１８において、サーバのハードウェア（プロセッサ、メモリ、インターフェースなど）で、適したソフトウェア（プログラム）が処理され、そのソフトウェアを用いてそれぞれの機能が提供される。仮想部局３４を用いて、ステーション１７は、その物理的なデータ処理リソースに関して負担が著しく軽くされ、サーバ１８に存在する処理能力は、ステーション１７の“知能”を提供するために有利に利用される。したがって、ステーション１７用には、コストの比較的低いハードウェアを使用することができる。
【００５０】
この場合には、スーパーマーケットの建物、例えば１階において、ただ１つのステーション１７が想定された。しかし、複数のステーション１７、例えば各販売フロアに１つずつステーション１７が想定されれば、サーバ１８において第１部局の他にさらなる部局３５、３６（破線に囲まれたブロックで概念のみが示されている）を生成し、他のフロア（例えば１階および２階）に設置された（示されていない）ステーション１７のための生データトラフィックＲＤを処理することは、容易なことである。よって、システム１は、コストの比較的低いステーション１７の増加にて任意に拡張可能である。さらに、システム１の実現によって、ＬＡＮにおけるデータトラフィックを一定に保つことができる。
【００５１】
ＥＳＬ２−１０とそれが割り当てられた無線モジュール２２の間の通信にはタイムスロット通信方法が使用され、その原則は図２−４に視覚化され、それに基づいてシステムの作動の仕方が示されている。横座標に時間ｔが記載されている。縦座標には、説明において考慮したシステム１のそれぞれの構成要素または信号の状態Ｚが記載されている。したがって、この図は時間的状態経過を示す。
【００５２】
それぞれの図２−４で、最も上の状態経過は、ＳＴの記号が付けられている第２無線モジュール２２の状態を示す。１つのタイムスロットサイクル期間ＤＣ（例えば１５秒間）の間には、同一のタイムスロット期間ＤＳ（例えば約５８ミリセカンド）を有するＮ個のタイムスロットＺ１．．．ＺＮ（例えば２５６個）が使用できる。タイムスロットサイクル期間ＤＣの間に第２無線モジュール２２は送信状態Ｔと静止状態Ｒとの間に切り替えられる。送信状態Ｔは、いつもタイムスロットＺ１．．．ＺＮの始まりに取られ、それぞれの同期化データ信号ＳＤを用いて当てはまるタイムスロット記号ＺＳ１、ＺＳ２、．．．ＺＳＮを送信するために同期化データ信号期間ＤＳＤ（または同期化データ信号ＳＤの送信期間ＤＳＤ）の間に保持される。それぞれの当てはまるタイムスロット記号ＺＳ１．．．ＺＳＮとしては、それぞれのタイムスロットＺ１．．．ＺＮの連続する番号がタイムスロットＺ１．．．ＺＮの出現順番に応じて使用される。
【００５３】
図２では、第１ＥＳＬ２がより同期化した状態になっている。第１ＥＳＬ２は、第１ウェークアップ時刻ＴＡ１に極度に省エネルギー的なスリープ状態Ｓから起き、比較的短いリードタイムＤＶの経過と共に、予期する同期化データ信号ＳＤの出現前に、受信準備ができたアクティブ状態Ｅに切り替え、第１タイムスロット記号ＺＳ１を有する受信期間ＤＥの間に同期化データ信号ＳＤを受信し、自分のハードウェアアドレスの最下位バイトＢ０と受信したタイムスロット記号ＺＳ１との比較で、第１ＥＳＬ２に割り当てられた第１タイムスロットＺ１が表示されていることを確認し（比較するバイトの一致：ハードウェアアドレスのＢ０と第１タイムスロット記号ＺＳ１）、新ウェークアップ時刻の定義を目的として、ウェークアップの制御に使われたパラメータを、次のタイムスロットサイクルにおけるウェークアップのために保存し、比較的短いリードタイムＤＮを隔てて再びスリープ状態Ｓに入り、設定されたスリープ状態滞留時間ＤＲが終了したら、計画通りに新（第２）ウェークアップ時刻ＴＡ２に、第１タイムストロットサイクルＺ１の新たな始まりの前に上記リードタイムＤＶを隔てて起きる。第１ＥＳＬ１と同様に同期した状態になっているかぎり、第２ＥＳＬ３および他の各ＥＳＬ４−１０には、同じことが同様に適用される。各ＥＳＬ２−１０は、同期化していない状態を認識して自身を同期化するように形成されている。
【００５４】
図２に示されている最後（最下）の状態経過は、第１レベル値ＰＩと第２レベル値Ｐ２との間で転換する制御信号ＦＳを示す。第２無線モジュール２２が同期化データ信号を送信しようとする際、他の２つの無線モジュール２１、２３は、無線活動を示さないように、制御信号ＦＳの第２レベル値Ｐ２でいつもミュートに切り換えられる。ミューティングが行われる期間（ミューティング期間ＳＳＤ）は、基本的に、同期化データ信号ＳＤの出現の期間に限定されていることができる。好ましくは、ミューティング期間ＳＳＤは、同期化データ信号ＤＳの出現がミューティング期間ＳＳＤの内部にあることを確かめるために、数ミリ秒の、短いリードタイム（第１確認期間Ｓ１）および特に、短い追従期間（第２確認期間Ｓ２）を有して延びる。とりわけ好ましくは、第２レベル値Ｐ２の存在時間（ミューティング期間）が、（リードタイムおよび追従期間を含めて）受信期間ＤＥに重なりまたは受信期間ＤＥを包含しており、その結果、ＥＳＬ２−１０の受信およびそれゆえＥＳＬ２−１０の同期性の確認をも損ないかねない妨害が無線媒体に発生しないことが保証される。予想される同期化データ信号ＳＤの出現に対するリードタイムＤＶおよび追従期間ＤＮが既に受信期間ＤＥにおいて考慮されているので、最後に述べられた実装の場合では、ミューティング期間ＳＳＤは、受信期間と同時発生でそれゆえ同じ長さであれば十分である。
【００５５】
図３に基づいて、ＥＳＬ２−４を個別にアドレスすることと、単タイムスロットコマンドでこのＥＳＬ２−４を個別に指示することとが説明される。２つの同期化データ信号ＳＤの間に埋め込んだ第１タイムスロットＺ１のみが示されている。第１タイムスロットＺ１の同期化データ信号ＳＤには、第２無線モジュール２２によりアドレスデータＡＤ、コマンドデータＣＤおよび確認時刻データＺＤが埋め込まれる。第１ＥＳＬ２は、アドレスデータＡＤ（例えば、Ｈｅｘ  Ｂ２：００：０１）に基づいて、第２ＥＳＬ３は、アドレスデータＡＤ（例えば、Ｈｅｘ  Ｂ２：００：０２）に基づいて、そして、第３ＥＳＬ４は、アドレスデータＡＤ（例えば、Ｈｅｘ  Ｂ２：００：０３）に基づいて、個別にアドレスされる。コマンドデータＣＤを用いて、第１ＥＳＬ２には“ＰＩＮＧ”コマンドが、第２ＥＳＬ３にも“ＰＩＮＧ”コマンドが、そして、第３ＥＳＬ４には“ＳＷＰＡＧ２”コマンドが伝送される。これらのコマンドは、デコードされた後すぐに僅かな時間を費やして、係るＥＳＬ２−４において処理される単タイムスロットコマンドである。上記２つの“ＰＩＮＧ”コマンドを用いて、アドレスされたＥＳＬ２、３が確認データＡＣＤを使って返事するか、すなわち、ＥＳＬ２、３が存在するかまたはそもそも反応しかつ同期化されたかをテストする。“ＳＷＡＰＧ２”コマンドを用いて、例えば表示部を使って示される画像を変化させるために、第３ＥＳＬ４に（第１）現メモリページから第２メモリページに切り替えられる。さらに、同期化データ信号ＳＤを伴って、確認時刻は、第１ＥＳＬ２に関して第１静止期間ＤＲ１、第２ＥＳＬ３に関して第２静止期間ＤＲ２、第３ＥＬ４に関して第３静止期間ＤＲ３を挙げることで伝送される。３つの静止期間ＤＲ１−ＤＲ３の基準点はいつも受信期間ＤＥの終了である。単独の静止期間ＤＲ１−ＤＲ３の代わりに、各静止期間ＤＲ１−ＤＲ３と確認データＡＣＤを送信するための期間との合計の結果として生じる回答の最大期間を挙げてもよい。図３によれば、全部の３つのＥＳＬ２−４は、それぞれに第１タイムスロット記号Ｚ１が割り当てられたタイムスロットを示すので（全部の３つのＥＳＬ２−４ではハードウェアアドレスの最下位バイトＢ０がＨｅｘ  ００である）、自分が同期化していることを認識する。アドレスデータＡＤの確認は、各ＥＳＬ２−４が個別にアドレスされていることを示し（アドレスデータＡＤにおいて、各ハードウェアの残った３つのバイトＢ１−Ｂ３がある）、それぞれのＥＳＬ２−４に指定したコマンドは、デコードされてから直ちに実行され、また、受信期間ＤＥの終了の後の個別的な静止期間ＤＲ１．．．ＤＲ３の終了後に、ステーション受信期間ＳＤＥの間に確認データＡＣＤを受信する準備ができている無線モジュール２２に、個別の確認データＡＣＤが伝送される。確認データＡＣＤの通信を含めて単タイムスロットコマンドの完全な処理は、タイムスロットＺ１の第１部分３６の間に行われており、これにより、第２部分３７は他の課題、例えば、マルチタイムスロットコマンドの処理に使用でき、このことは、以下に詳細に取り上げられる。
【００５６】
図２に類似して、図３に示されている最後（最下）の状態経過も、第１レベル値Ｐ１と第２レベル値Ｐ２との間に切り換わる制御信号ＦＳを示す。しかしながら、この場合には、第１ミューティング期間ＳＳＤ１の領域では妨害されていない長い通信時期が必要であるので、第１ミューティング期間ＳＳＤ１の期間は第２ミューティング期間ＳＳＤ２の期間より長い。受信期間ＤＥのみを考慮すればよいので、第２ミューティング期間ＳＳＤ２の期間は、図２に示されている期間と一致する。
【００５７】
図４には、マルチタイムスロットコマンドの処理が示されており、このマルチタイムスロットコマンドの処理では、第１ＥＳＬ２が３つの隣接するタイムスロットＺ１−Ｚ３にわたって全データ（例えば、示さなければならない画像のすべて、または、画像の１つの画像平面のみ）を、３つのデータパケットＤＡＴ１．．．ＤＡＴ３に分けて第２無線モジュール２２から受信する。第１ＥＳＬ２は、同期化データ信号ＳＤを用いて、第１ＥＳＬ２の同期化した状態および個別にアドレスされていること（アドレスデータＨｅｘ  Ｂ２：００：０１）を認識し、上記タイムスロットＺ１−Ｚ３の間における上記３つのデータパケットＤＡＴ１．．．ＤＡＴ３の受信を第１ＥＳＬ２に指示することに用いられる“ＤＡＴＡ＿ＩＮＩＴ”コマンドを受信およびデコードし、受信期間ＤＥの終わりに第１待機期間ＤＷ１にわたってスリープ状態Ｓになり、その第１待機期間ＤＷ１はタイムスロット期間ＤＳの前半の終了と同時に終わる。第１タイムスロットＺ１の第２部分３７の始まりに、第２無線モジュール２２は送信状態Ｔに入り、第１ＥＳＬ２は、データ伝送期間ＤＴの間に第１データパケットＤＡＴ１を受信するように、受信の準備ができたアクティブ状態Ｅに入る。その後に、第１ＥＳＬ２は、部分確認データＡＣＤ１を用いて、第２無線モジュール２２も受信状態Ｅになっている確認期間ＤＡの間に、受信成功を確認する。確認期間ＤＡは第１タイムスロットＺ１の終了前に終わる。確認期間ＤＡが終わった後に、第１ＥＳＬ２は、第２（次の）タイムスロットＺ２の第１部分３６の終了まで続く第２待機期間ＤＷ２の間にスリープ状態Ｓのままになっている。第２タイムスロットＺ２の第２部分３７の始まりに、第２無線モジュール２２は送信状態Ｔに入り、第１ＥＳＬ２は、データ伝送期間ＤＴの間に第２データパケットＤＡＴ２を受信するように、受信準備ができたアクティブ状態Ｅに入る。第３タイムスロットＺ３には同じことが当てはまり、その終わりはデータ伝送の終わりとなる。伝送が成功した各データパケットＤＡＴ１−ＤＡＴ３は、部分確認データＡＣＤ１−ＡＣＤ３を用いて確認される。
【００５８】
図２に類似して、図４に示されている最後（最下）の状態経過も、第１レベル値Ｐ１と第２レベル値Ｐ２との間に切り換わる制御信号ＦＳを示す。しかしながら、この場合には、第１ミューティング期間ＳＳＤ１の期間は、この場合に数回続けて繰り返し起こる第２ミューティング期間ＳＳＤ２の期間より短い。第１ミューティング期間ＳＳＤ１の期間は、図２に示されている、同期化データ信号ＳＤを妨害されずに受信するのに有利な期間と一致する。第２ミューティング期間ＳＳＤ２の間には、かろうじて連続して起こる複数の通信イベントの処理のための、妨害されない無線通信トラフィックが得られる。
【００５９】
最後に全く一般的に指摘することとして、電子価格表示板が割り当てられていないタイムスロットについては、２つの他方の無線モジュール２１、２３のミューティングは行われないことが好ましい。これにより、全無線ネットワークの通信効率が改善される。
【００６０】
本発明の他の一実施例によれば、無線モジュールの無線活動のために、予め定義された段階的な序列を設定してもよい。この序列では、例えば、第１無線モジュールは最高の優先度とし、第２モジュールはより低い優先度とし、場合によって第３無線モジュールは最低の優先度としてもよい。この実施例では、第２無線モジュールは第３無線モジュールのみに対して無線活動に関して影響を及ぼすことができるが、第１無線モジュールは２つの他方の無線ジュールに対して無線活動に関して影響を及ぼすことができる。第３無線モジュールは他の無線モジュールの無線活動に関して影響を及ぼすことができない。
【００６１】
また、最後に指摘することとして、上述して詳細に説明された図面は、本発明の範囲から離れることなく当業者が様々な方法で変更できる実施例にすぎない。完全性のために指摘されていることとして、不定冠詞“ｅｉｎ”または“ｅｉｎｅ”の使用は、該当する特徴が複数ありうることを除外しない。
【図１】
0006619800.tif 000002
【図２】
0006619800.tif 000003
【図３】
0006619800.tif 000004
【図４】
0006619800.tif 000005